(57)【特許請求の範囲】
【請求項１】
複数本の電線からなるワイヤハーネスを収容するプロテクタ本体と、
前記プロテクタ本体の上部開口を閉止する蓋体と、
前記プロテクタ本体と前記蓋体とを固定するロック機構と
を備えるプロテクタであって、
前記プロテクタ本体には、プロテクタ組付作業板に突設されて該プロテクタ本体の両側壁の内面側に当接する２本の支持突起が挿入される本体側貫通孔が形成され、
前記蓋体には、前記２本の支持突起が挿入される蓋側貫通孔が形成され、
前記本体側貫通孔及び前記蓋側貫通孔は、前記ロック機構に隣接して設けられることを特徴とするプロテクタ。
【請求項２】
請求項１に記載のプロテクタであって、
前記ロック機構は、
前記プロテクタ本体の両側壁に設けられ、係止孔が形成される係止枠と、
前記蓋体の裏面に設けられ、前記係止孔に挿入されて前記係止枠に係止される係止爪と
によって構成され、
前記本体側貫通孔は、前記係止枠に隣接して設けられ、
前記蓋側貫通孔は、前記係止爪に隣接して設けられることを特徴とするプロテクタ。
【請求項３】
請求項１又は請求項２に記載のプロテクタであって、
前記貫通孔は、前記プロテクタの長手方向に沿った長孔であることを特徴とするプロテクタ。
【請求項４】
複数本の電線からなるワイヤハーネスを収容するプロテクタ本体の上部開口を蓋体によって閉止するプロテクタのロック方法であって、
プロテクタ組付作業板に突設されて前記プロテクタ本体の両側壁の内面側に当接する２本の支持突起に、前記プロテクタ本体に設けられた本体側ロック機構に隣接する本体側貫通孔を挿入するステップと、
前記２本の支持突起に、前記蓋体に設けられた蓋体側ロック機構に隣接する蓋側貫通孔を挿入し、前記本体側ロック機構と前記蓋体側ロック機構とによって前記プロテクタ本体に前記蓋体を固定するステップと
を含むことを特徴とするプロテクタのロック方法。
【発明の詳細な説明】
【技術分野】
【０００１】
本発明は、ワイヤハーネスを保護するワイヤハーネス用のプロテクタ、及び、このプロテクタを用いたプロテクタのロック方法に関する。
【背景技術】
【０００２】
従来から、自動車などの車両の床下に配索される複数本の電線からなるワイヤハーネスは、配索経路の全域において保護部材としてのワイヤハーネス用のプロテクタによって保護されている。
【０００３】
このプロテクタ１００は、図５（ａ）に示すように、ワイヤハーネスを収容するＵ字状のプロテクタ本体１１０と、プロテクタ本体１１０の上部開口を閉止する板状の蓋体１２０とを備えている。プロテクタ本体１１０に蓋体１２０をロックする機構として、以下のようなものがある（例えば、特許文献１参照）。
【０００４】
すなわち、プロテクタ本体１１０の外壁には、係止孔１１１Ａが形成される係止枠１１１が設けられ、蓋体１２０には、係止枠１１１と係止する係止爪１２１が設けられている。このようなプロテクタ本体１１０に蓋体１２０をロック（固定）する際、係止爪２１は、係止孔１１Ａ内に挿入されて弾性変形し、係止孔１１Ａを通過して復元されることによって、係止枠１１１に係止される。
【先行技術文献】
【特許文献】
【０００５】
【特許文献１】特開２００４−１３５４５０号公報
【発明の概要】
【発明が解決しようとする課題】
【０００６】
しかしながら、上述した従来のプロテクタ１００では、図５（ｂ）に示すように、プロテクタ本体１１０に蓋体１２０をロックする際、プロテクタ本体１１０の外壁が内側に向かって倒れ込んでしまうことがあった。この場合、係止爪２１は、係止孔１１Ａに挿入されず、係止枠１１１に係止されない。このため、作業者は係止爪２１を係止孔１１Ａに挿入できるように位置合わせをしながら作業しなければならず、プロテクタ１００内にワイヤハーネスを組み付ける作業が繁雑であった。
【０００７】
そこで、本発明は、ワイヤハーネスの組付作業を容易にできるとともに、プロテクタ本体と蓋体とを確実にロックすることができるプロテクタ、及び、このプロテクタを用いたプロテクタのロック方法の提供を目的とする。
【課題を解決するための手段】
【０００８】
上述した課題を解決するため、本発明は、次のような特徴を有している。まず、本発明の第１の特徴は、複数本の電線からなるワイヤハーネス（ワイヤハーネスＷ）を収容するプロテクタ本体（プロテクタ本体１０）と、前記プロテクタ本体の上部開口を閉止する蓋体（蓋体２０）と、前記プロテクタ本体と前記蓋体とを固定するロック機構（ロック機構３０）とを備えるプロテクタ（プロテクタ１）であって、前記プロテクタ本体には、プロテクタ組付作業板（プロテクタ組付作業板５０）に突設されて該プロテクタ本体の両側壁（側壁１０Ａ）の内面側に当接する２本の支持突起（支持突起５１）が挿入される本体側貫通孔（本体側貫通孔４１）が形成され、前記蓋体には、前記２本の支持突起が挿入される蓋側貫通孔（蓋側貫通孔４２）が形成され、前記本体側貫通孔及び前記蓋側貫通孔は、前記ロック機構に隣接して設けられることを要旨とする。
【０００９】
かかる特徴によれば、本体側貫通孔及び蓋側貫通孔は、ロック機構に隣接して設けられる。これにより、プロテクタ本体に蓋体をロックする際、２本の支持突起が本体側貫通孔及び蓋側貫通孔を通過すると、プロテクタ本体の両側壁の内面側が２本の支持突起に支持される。このため、プロテクタ本体の両側壁が内側に倒れこむことを防止できるとともに、ロック機構の位置合わせが容易となる。従って、ワイヤハーネスの組付作業を容易にできるとともに、プロテクタ本体と蓋体とを確実にロックすることができる。
【００１０】
本発明の第２の特徴は、本発明の第１の特徴に係り、前記ロック機構は、前記プロテクタ本体の両側壁（側壁１０Ａ）に設けられ、係止孔（係止孔１１Ａ）が形成される係止枠（係止枠１１）と、前記蓋体の裏面に設けられ、前記係止孔に挿入されて前記係止枠に係止される係止爪（係止爪２１）とによって構成され、前記本体側貫通孔は、前記係止枠に隣接して設けられ、前記蓋側貫通孔は、前記係止爪に隣接して設けられることを要旨とする。
【００１１】
かかる特徴によれば、本体側貫通孔は、係止枠に隣接して設けられ、蓋側貫通孔は、係止爪に隣接して設けられる。これにより、本体側貫通孔及び蓋側貫通孔の位置を把握し易くなり、本体側貫通孔及び蓋側貫通孔に支持突起を挿入させやすくなる。このため、プロテクタ本体と蓋体とをロックする作業（固定作業）が容易となるとともに、ワイヤハーネスの組付作業がより容易になる。
【００１２】
本発明の第３の特徴は、本発明の第１又は第２の特徴に係り、前記貫通孔は、前記プロテクタの長手方向に沿った長孔であることを要旨とする。
【００１３】
かかる特徴によれば、貫通孔は、プロテクタの長手方向に沿った長孔である。これにより、支持突起が貫通孔に挿入させる際に、プロテクタ組付作業板の向きを把握し易くなり、支持突起を貫通孔に挿入し易くなる。このため、プロテクタ本体と蓋体との固定する作業がさらに容易となる。
【００１４】
本発明の第４の特徴は、複数本の電線からなるワイヤハーネスを収容するプロテクタ本体の上部開口を蓋体によって閉止するプロテクタのロック方法であって、プロテクタ組付作業板に突設されて前記プロテクタ本体の両側壁の内面側に当接する２本の支持突起に、前記プロテクタ本体に設けられた本体側ロック機構に隣接する本体側貫通孔を挿入するステップと、前記２本の支持突起に、前記蓋体に設けられた蓋体側ロック機構に隣接する蓋側貫通孔を挿入し、前記本体側ロック機構と前記蓋体側ロック機構とによって前記プロテクタ本体に前記蓋体を固定するステップとを含むことを要旨とする。
【００１５】
かかる特徴によれば、２本の支持突起は、本体側貫通孔に挿入されて、その後に蓋側貫通孔に挿入される。これにより、プロテクタ本体の両側壁の内面側が２本の支持突起に支持された状態で、プロテクタ本体に蓋体を固定することができる。このため、プロテクタ本体の両側壁が内側に倒れこむことを防止できるとともに、ロック機構の位置合わせが容易となる。
【発明の効果】
【００１６】
本発明の特徴によれば、ワイヤハーネスの組付作業を容易にできるとともに、プロテクタ本体と蓋体とを確実にロックすることができるプロテクタ、及び、このプロテクタを用いたプロテクタのロック方法を提供することができる。
【図面の簡単な説明】
【００１７】
【図１】図１は、本実施形態に係るプロテクタ１を示す斜視図である。
【図２】図２は、本実施形態に係るプロテクタ１を示す断面図（図１のＡ−Ａ断面図）である。
【図３】図３（ａ）は、本実施形態に係る蓋体２０の表面側を示す平面図であり、図３（ｂ）は、本実施形態に係る蓋体２０の裏面側を示す平面図である。
【図４】図４は、本実施形態に係るプロテクタ１のロック方法を説明するためのプロテクタ１の断面図である。
【図５】図５は、背景技術に係るプロテクタ１００を示す断面図である。
【発明を実施するための形態】
【００１８】
次に、本発明に係るプロテクタ、及び、このプロテクタを用いたプロテクタのロック方法の実施形態について、図面を参照しながら説明する。具体的には、（１）プロテクタの構成、（２）貫通孔の構成、（３）プロテクタのロック方法、（４）作用・効果、（５）その他の実施形態について説明する。
【００１９】
なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきである。また、図面相互間においても互いの寸法の関係や比率が異なる部分が含まれ得る。
【００２１】
（１）プロテクタの構成
まず、本実施形態に係るプロテクタ１の構成について、図面を参照しながら説明する。図１は、本実施形態に係るプロテクタ１を示す斜視図である。図２は、本実施形態に係るプロテクタ１を示す断面図（図１のＡ−Ａ断面図）である。
【００２２】
図１及び図２に示すように、プロテクタ１は、自動車などの車両の床下に配索される複数本の電線からなるワイヤハーネスＷを保護するためのものである。プロテクタ１は、合成樹脂によって形成される。また、プロテクタ１は、ワイヤハーネスＷを収容するプロテクタ本体１０と、プロテクタ本体１０の上部開口を閉止する蓋体２０と、プロテクタ本体１０と蓋体２０とを固定するロック機構３０とを備えている。
【００２３】
プロテクタ本体１０は、略Ｕ字状をなしていおり、上部開口が形成されている。プロテクタ本体１０の両側壁１０Ａ，１０Ａの上部には、係止孔１１Ａが形成された複数の係止枠１１（本体側ロック機構）が設けられている。
【００２４】
蓋体２０は、板状をなしており、プロテクタ本体１０の上部開口を閉止する。蓋体２０の周縁には、プロテクタ本体１０側に向かって突出し、係止枠１１に係止される係止爪２１（蓋体側ロック機構）が複数形成されている。なお、本実施形態では、ロック機構３０は、上述した係止枠１１及び係止爪２１によって構成される。
【００２５】
このようなプロテクタ本体１０及び蓋体２０には、プロテクタ組付作業板５０に突設される板状の２本の支持突起５１，５１が挿入される貫通孔４０が形成されている。この貫通孔４０は、ロック機構３０に隣接して設けられている。なお、本実施形態で示す「隣接」とは、図２に示すように、２本の支持突起５１，５１がプロテクタ本体１０の両側壁１０Ａ，１０Ａの内面側の少なくとも一部と当接することが可能な位置や、該両側壁１０Ａ，１０Ａの内面側と完全に当接（線接触）することが可能な位置を示している。
【００２６】
（２）貫通孔の構成
次に、上述した貫通孔４０の構成について、図１〜図３を参照しながら説明する。図３（ａ）は、本実施形態に係る蓋体２０の表面側を示す平面図であり、図３（ｂ）は、本実施形態に係る蓋体２０の裏面側を示す平面図である。
【００２７】
図１〜図３に示すように、貫通孔４０は、プロテクタ１の長手方向ＬＤに直交する幅方向ＷＤに対するロック機構３０の内側に隣接して設けられている。この貫通孔４０は、板状の支持突起５１が挿入可能なように矩形状を有するとともに、プロテクタ１の長手方向ＬＤに沿った長孔である。また、貫通孔４０は、プロテクタ本体１０に形成される本体側貫通孔４１と、蓋体２０に形成される蓋側貫通孔４２とによって構成されている。
【００２８】
図２に示すように、本体側貫通孔４１は、係止枠１１に隣接している。具体的には、本体側貫通孔４１は、プロテクタ本体１０の底部１０Ｂの最も側壁１０Ａ寄りに形成されている。この本体側貫通孔４１は、プロテクタ本体１０に蓋体２０が閉止された状態において、蓋側貫通孔４２と対応する位置（図２では、上下方向に沿って）に設けられている。
【００２９】
図２及び図３に示すように、蓋側貫通孔４２は、係止爪２１に隣接している。具体的には、蓋側貫通孔４２は、プロテクタ１の幅方向ＷＤに対する係止爪２１の蓋体２０内側に形成されている。この蓋側貫通孔４２は、プロテクタ本体１０に蓋体２０が閉止された状態において、本体側貫通孔４１と対向する位置に設けられている。
【００３０】
（３）プロテクタのロック方法
次に、上述したプロテクタ１を用いたプロテクタ１のロック方法について、図４を参照しながら説明する。図４は、本実施形態に係るプロテクタ１のロック方法を説明するためのプロテクタ１の断面図である。
【００３１】
まず、図４（ａ）に示すように、プロテクタ組付作業板５０に突設される支持突起５１に、プロテクタ本体１０に設けられた係止枠１１に隣接する本体側貫通孔４１を挿入する。すると、図４（ｂ）に示すように、プロテクタ本体１０の側壁１０Ａは、支持突起５１に沿った状態となり、支持突起５１に支持される。すなわち、本体側貫通孔４１を通過した支持突起５１は、側壁１０Ａの内面側と当接（線接触）した状態となっている。
【００３２】
次いで、図４（ｃ）に示すように、支持突起５１に、蓋体２０に設けられた係止爪２１に隣接する蓋側貫通孔４２を挿入する。これにより、図４（ｄ）に示すように、係止爪２１は、係止孔１１Ａ内に挿入されて弾性変形し、係止孔１１Ａを通過して復元されることによって、係止枠１１に係止される。そして、プロテクタ本体１０に蓋体２０が固定されることとなる。
【００３３】
（４）作用・効果
以上説明した本実施形態では、本体側貫通孔４１及び蓋側貫通孔４２は、ロック機構３０に隣接して設けられる。これにより、プロテクタ本体１０に蓋体２０をロックする際、２本の支持突起５１，５１が本体側貫通孔４１及び蓋側貫通孔４２を通過すると、プロテクタ本体１０の両側壁１０Ａ，１０Ａの内面側が２本の支持突起５１に支持される。このため、プロテクタ本体１０の両側壁１０Ａ，１０Ａが内側に倒れこむことを防止できるとともに、ロック機構３０の位置合わせが容易となる。従って、ワイヤハーネスＷの組付作業を容易にできるとともに、プロテクタ本体１０と蓋体２０とを確実にロックすることができる。
【００３４】
本実施形態では、本体側貫通孔４１は、係止枠１１に隣接して設けられ、蓋側貫通孔４２は、係止爪２１に隣接して設けられる。これにより、本体側貫通孔４１及び蓋側貫通孔４２の位置を把握し易くなり、本体側貫通孔４１及び蓋側貫通孔４２に支持突起を挿入させやすくなる。このため、プロテクタ本体１０と蓋体２０とをロックする作業（固定作業）が容易となるとともに、ワイヤハーネスＷの組付作業がより容易になる。
【００３５】
本実施形態では、貫通孔４０は、プロテクタ１の長手方向ＬＤに沿った長孔である。これにより、支持突起５１が貫通孔４０に挿入させる際に、プロテクタ組付作業板５０の向きを把握し易くなり、支持突起５１を貫通孔４０に挿入し易くなる。このため、プロテクタ本体１０と蓋体２０との固定する作業がさらに容易となる。
【００３６】
本実施形態では、２本の支持突起５１，５１は、本体側貫通孔４１に挿入されて、その後に蓋側貫通孔４２に挿入される。これにより、プロテクタ本体１０の両側壁１０Ａ，１０Ａの内面側が２本の支持突起５１，５１に支持された状態で、プロテクタ本体１０に蓋体２０を固定することができる。このため、プロテクタ本体１０の両側壁１０Ａ，１０Ａが内側に倒れこむことを防止できるとともに、ロック機構３０の位置合わせが容易となる。
【００３７】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００３８】
例えば、本発明の実施形態は、次のように変更することができる。具体的には、ロック機構３０は、係止枠１１及び係止爪２１によって構成されるものとして説明したが、これに限定されるものではなく、プロテクタ本体１１０に蓋体１２０をロックできる機構であればよい。
【００３９】
また、貫通孔４０は、プロテクタ１の長手方向ＬＤに沿った長孔であるものとして説明したが、これに限定されるものではなく、その他の形状（例えば、円形状や楕円形状）であってもよい。この場合、支持突起５１についても、板状である必要はなく、その他の形状（例えば、角柱状や円筒状）であってもよい。
【００４２】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００４３】
１…プロテクタ
１０…プロテクタ本体
１０Ａ…側壁
１０Ｂ…底部
１１…係止枠
１１Ａ…係止孔
２０…蓋体
２１…係止爪
３０…ロック機構
４０…貫通孔
４１…本体側貫通孔
４２…蓋側貫通孔
５０…プロテクタ組付作業板
５１…支持突起
【図１】
0005923260.tif 000002
【図２】
0005923260.tif 000003
【図３】
0005923260.tif 000004
【図４】
0005923260.tif 000005
【図５】
0005923260.tif 000006